(57)【要約】【課題】  滑り止め機能を有し、且つ部品点数、製造工程数が低減された携帯用電子機器を提供することを目的とする。【解決手段】  本発明に係る締結具隠蔽用キャップ２０５は、携帯用電子機器の筐体２０２を固定する締結具２０４を隠蔽するための締結具隠蔽用キャップ２０５であって、複数の締結具２０４を夫々隠蔽する複数のキャップ部２０５ａと、複数のキャップ部２０５ａを連結し、少なくともその一部に滑り止め機能を備える連結部２０５ｒとを有し、複数のキャップ部２０５ａが複数の締結具２０４を夫々隠蔽する状態において、連結部２０５ｒは筐体２０２表面上に配置されるものである。【選択図】  図１
2006245861.tif 000002
【特許請求の範囲】
【請求項１】
携帯用電子機器の筐体を少なくとも二箇所以上で固定する複数の締結具を隠蔽するための締結具隠蔽用キャップであって、
複数の前記締結具を夫々隠蔽する複数のキャップ部と、
前記複数のキャップ部を連結し、少なくともその一部に滑り止め機能を備える連結部とを有し、
前記複数のキャップ部が前記複数の締結具を夫々隠蔽する状態において、前記連結部は前記筐体表面上に配置される締結具隠蔽用キャップ。
【請求項２】
前記連結部が前記筐体上に配置された状態において、当該連結部の、前記筐体表面側の面と反対側の角部はアールを有することを特徴とする請求項１に記載の締結具隠蔽用キャップ。
【請求項３】
前記締結具は前記筐体に設けられた凹部底面において当該筐体を固定し、前記キャップ部は当該凹部に挿入されることを特徴とする請求項１又は２に記載の締結具隠蔽用キャップ。
【請求項４】
前記締結具隠蔽用キャップにおいて前記キャップ部が連結される間隔は、当該キャップ部が夫々覆う前記複数の締結具の間隔と略等しいことを特徴とする請求項１乃至３いずれかに記載の締結具隠蔽用キャップ。
【請求項５】
前記連結部は長寸部材であることを特徴とする請求項１乃至４いずれかに記載の締結具隠蔽用キャップ。
【請求項６】
一の前記連結部が連結する前記キャップ部は二つであって、前記キャップ部は前記締結具隠蔽用キャップの両端に設けられ、
前記キャップ部は前記筐体表面において隣り合う前記締結具を夫々覆うことを特徴とする請求項５に記載の締結具隠蔽用キャップ。
【請求項７】
前記連結部は弾性部材により構成されていることを特徴とする請求項１乃至６いずれかに記載の締結具隠蔽用キャップ。
【請求項８】
筐体を少なくとも二箇所以上で固定する複数の締結具と、
当該締結具を隠蔽する締結具隠蔽用キャップとを有する携帯用電子機器であって、
前記締結具隠蔽用キャップは、前記複数の締結具を夫々隠蔽する複数のキャップ部と、
前記複数のキャップ部を連結し、少なくともその一部に滑り止め機能を備える連結部とを有し、
前記複数のキャップ部が前記複数の締結具を夫々隠蔽する状態において、前記連結部は前記筐体表面上に配置される携帯用電子機器。
【請求項９】
前記筐体は表面に複数の凹部を有し、前記締結具は当該凹部底面において当該筐体を固定し、前記キャップ部は当該凹部に挿入されることを特徴とする請求項８に記載の携帯用電子機器。
【請求項１０】
前記筐体表面において前記連結部が配置される部位は、前記複数の凹部のうち少なくとも二つを連結し、前記凹部よりも浅い凹状の溝部であることを特徴とする請求項９に記載の携帯用電子機器。
【請求項１１】
前記筐体表面に対する前記溝部の平面形状と前記連結部の平面形状とは略一致し、前記溝部と前記凹部との位置関係は前記連結部と前記キャップ部との位置関係と略等しいことを特徴とする請求項１０に記載の携帯用電子機器。
【請求項１２】
前記凹部が設けられた面以外の面に表示部を有することを特徴とする請求項９乃至１１いずれかに記載の携帯用電子機器。
【請求項１３】
前記連結部は前記筐体の表面よりも突出することを特徴とする請求項８乃至１２いずれかに記載の携帯用電子機器。
【発明の詳細な説明】
【技術分野】
【０００１】
本発明は携帯用電子機器に使用される締結具隠蔽用キャップ及び携帯用電子機器に関し、特に携帯用電子機器の筐体表面よりも突出し滑り止めとして機能する締結具隠蔽用キャップに関する。
【背景技術】
【０００２】
従来、螺子等の締結具が設けられた機器の外観を向上させるために、当該締結具をキャップで隠蔽する手法が用いられている。例えば携帯電話機においては製品の外観を向上させるためにキャップ実装構造が適用されており、図５に示すようにフロントケース２にリアカバー１を被せ、両者を螺子穴の設けられた凹部１ａにおいて螺子４で固定した後に、凹部１ａにキャップ３を圧入する。これにより、凹部１ａそのものや凹部１ａの底面に配置されている螺子穴及びこれに螺合された螺子を隠蔽することができる。以下、締結具を隠蔽することを目的としたキャップを締結具隠蔽用キャップと称する。
【０００３】
図６は従来のキャップ実装構造を示す断面図である。キャップ３は凹部１ａの直径よりも大きく形成されており、凹部１ａ内に圧入された際には部分的に変形し、一部が内壁面に密着する。キャップ３が凹部１ａへ圧入されることにより、凹部１ａ及び螺子４が隠蔽されて外部から見えなくなるため、締結具隠蔽部材としての用途を果たし、美観が向上する。
【０００４】
他方、携帯用電子機器に衝撃吸収部材を設けるアイデアが提案されている。例えば特許文献１には、携帯用電子機器の筐体表面にクッション材を設けることによって、落下による衝撃を吸収するアイデアが開示されている。また、特許文献２には、折り畳み式の携帯用電子機器において、折り畳み時の対向面に傷が付くことを防ぐため、対向面間に間隔を持たせるための部材を設けるアイデアが開示されている。
【特許文献１】特開平８−３７３８２号広報
【特許文献２】特開２００４−３２８１８６号公報
【発明の開示】
【発明が解決しようとする課題】
【０００５】
携帯電話機のような携帯用電子機器においては、当該携帯用電子機器を構成する筐体の、裏面のほとんどが平坦なプラスチック面である。そのため、例えば自動車を運転中にカーブを曲がる際や右左折の際及びブレーキングの際、ダッシュボード上に置いていた携帯電話機が慣性によりダッシュボード上を移動し、落下してしまうことがある。このような問題を解決する方法としては、市販されている車載用ホルダーを取り付けるか、滑り止め防止用のシートをダッシュボードに貼り付ける等の措置が取られてきたが、いずれにしても新たな部品の取り付けが必要であり、携帯電話機単体でこのような問題を解決することができなかった。
【０００６】
また、近年、携帯電話機は小型化及び軽量化が進んでおり、さらに低価格化の競争も激化している。このため製品を生産する側においても開発費及び部品コストの低減や、生産量の増加による生産コストの低減を図る必要がある。生産量の増加は、例えば製造工程数の低減により図ることが可能である。このような状況下において、従来の締結具隠蔽用キャップは、小さなキャップ部品を複数ある締結具に１つずつ被せる若しくは貼り付ける等していたために、製造所要時間の短縮化に課題があり、コストの低減に関しては効果的ではなかった。
【０００７】
本発明はこのような問題を解決するためになされたものであり、滑り止め機能を有し、且つ部品点数、製造工程数が低減された携帯用電子機器を提供することを目的とする。
【課題を解決するための手段】
【０００８】
本発明に係る締結具隠蔽用キャップは、携帯用電子機器の筐体を固定する締結具（例えば、本発明の実施の形態における螺子２０４）を隠蔽するための締結具隠蔽用キャップであって、複数の前記締結具を夫々隠蔽する複数のキャップ部と、前記複数のキャップ部を連結し、少なくともその一部に滑り止め機能を備える連結部（例えば、本発明の実施の形態における滑り止め部２０５ｒ）とを有し、前記複数のキャップ部が前記複数の締結具を夫々隠蔽する状態において、前記連結部は前記筐体表面上に配置されるものである。これにより、滑り止め機能を有し、且つ部品点数製造工程数が低減された携帯用電子機器を提供することができる。
【０００９】
ここで、前記連結部が前記筐体上に配置された状態において、当該連結部の、前記筐体表面側の面と反対側の角部はアールを有することが好ましい。これにより、滑り止め機能が更に向上する。
【００１０】
また、前記締結具は前記筐体に設けられた凹部底面において当該筐体を固定し、前記キャップ部は当該凹部に挿入されることが好ましい。これにより、締結具を隠蔽することが容易となる。
【００１１】
更に、前記締結具隠蔽用キャップにおいて前記キャップ部が連結される間隔は、当該キャップ部が覆う前記締結具の間隔と略等しいことが好ましい。これにより、連結部が筐体表面に好適に配置される。
【００１２】
更にまた、前記連結部は長寸部材であることが好ましい。これにより、滑り止め機能が更に向上する。
【００１３】
具体的な態様としては、一の前記連結部が連結する前記キャップ部は二つであって、前記キャップ部は前記連結部の両端に設けられ、前記キャップ部は前記筐体表面において隣り合う前記締結具を夫々覆う。
【００１４】
より好適には、前記連結部は弾性部材により構成される。これにより、素材自体が滑り止め機能を有し、連結部に凹凸等の特殊な形状を設ける必要がない。
【００１５】
他方、本発明に係る携帯用電子機器は、筐体を固定する締結具と、当該締結具を隠蔽する締結具隠蔽用キャップとを有する携帯用電子機器であって、前記締結具隠蔽用キャップは、少なくとも２以上の前記締結具を夫々隠蔽する複数のキャップ部と、前記複数のキャップ部を連結し少なくともその一部に滑り止め機能を備える連結部とを有し、前記複数のキャップ部が前記複数の締結具を夫々隠蔽する状態において、前記連結部は前記筐体表面上に配置されるものである。これにより、滑り止め機能を有し、且つ部品点数、製造工程数が低減された携帯用電子機器を提供することができる。
【００１６】
ここで、前記筐体は表面に複数の凹部を有し、前記締結具は当該凹部底面において当該筐体を固定し、前記キャップ部は当該凹部に挿入されることが好ましい。これにより、締結具を隠蔽することが容易となる。
【００１７】
また、前記筐体表面において前記連結部が配置される部位は、前記複数の凹部のうち少なくとも二つを連結し、前記凹部よりも浅い凹状の溝部であることが好ましい。これにより、締結具隠蔽用キャップをより好適に筐体表面に固定することができる。
【００１８】
更に、前記筐体表面に対する前記溝部の平面形状と前記連結部の平面形状とは略一致し、前記溝部部と前記凹部との位置関係は前記連結部と前記キャップ部との位置関係と略等しいことが好ましい。これにより、締結具隠蔽用キャップをより好適に筐体表面上に配置し、固定することができる。
【００１９】
更にまた、前記凹部が設けられた面以外の面に表示部を有することが好ましい。これにより、締結具隠蔽用キャップが設けられた面を載置メントする必然性ができる。
【００２０】
より好適には、前記連結部は前記筐体の表面よりも突出する。これにより、連結部が確実に載置面に当接し、滑り止め効果を奏することができる。
【発明の効果】
【００２１】
本発明により、滑り止め機能を有し、且つ部品点数、製造工程数が低減された携帯用電子機器を提供することができる。
【発明を実施するための最良の形態】
【００２２】
本発明に係る締結具隠蔽用キャップについて、図面を参照して説明する。本実施例においては、携帯用電子機器として折り畳み式の携帯電話機の例を説明する。また、締結具の例として螺子を用いる。本実施例における携帯電話機は液晶表示パネルを有する表示側筐体１００と操作ボタンが配置される操作側筐体２００とを有し、表示面と操作ボタンが配置される面とが対向するように折り畳まれる。
【００２３】
図１は本発明に係る締結具隠蔽用キャップを有する携帯電話機の閉状態における斜視図であり、操作側筐体２００の背面が示されている。また、図１においては一部が分解されて示されている。図１に示すように、操作側筐体２００はフロントケース２０１、リアカバー２０２、リアカバー２０２の４つ角に設けられる凹部２０３ａ〜ｄ、溝部２０３ｒ、ｓ、凹部２０３ａ〜ｄに挿入される螺子２０４及び滑り止めキャップ２０５を有する。本実施形態においては、滑り止めキャップ２０５が締結具隠蔽用キャップとしての機能を有する。図２は、図１に示す凹部２０３ａ、ｂ若しくは凹部２０３ｃ、ｄを通り、リアカバー２０２に垂直な面における操作側筐体２００の断面図である。
【００２４】
フロントケース２０１及びリアカバー２０２は共に操作側筐体２００を構成する筐体であり、内部には当該携帯電話機の回路基板２０８等が収納されている。フロントケース２０１側に操作ボタンが配置される。リアカバー２０２には、その４つ角近傍にそれぞれ凹部２０３ａ〜ｄが設けられている。凹部２０３ａ〜ｄはその底部に貫通穴２０６を有する。貫通穴２０６の口径は少なくとも凹部２０３ａ〜ｄの口径よりも小さい。また、フロントケース２０１は、凹部２０３ａ〜ｄに設けられた貫通穴２０６にそれぞれ対応する位置に、螺子受け２０７を有する。
【００２５】
螺子２０４は螺子頭２０４ａと軸部２０４ｂからなり、螺子頭２０４ａは凹部２０３ａ〜ｄよりも小さく、貫通穴２０６よりも大きい。また、螺子２０４が有する軸部２０４ｂの口径は貫通穴２０６の口径よりも小さく、螺子受け２０７に螺合する大きさである。軸部２０４ｂが貫通穴２０６を通って螺子受け２０７に螺合することにより、図２に示すように凹部２０３ａ〜ｄにおいてフロントケース２０１とリアカバー２０２とを固定することが可能となる。また、軸部２０４ｂが貫通穴２０６を通って螺子受け２０７に螺合される際、回路基板２０８を同時に貫通すると良い。これにより、回路基板２０８を同時に固定することができる。
【００２６】
凹部２０３ａと凹部２０３ｂとは溝部２０３ｒで連結されており、同様に凹部２０３ｃと凹部２０３ｄとは溝部２０３ｓで連結されている。溝部２０３ｒ、ｓはリアカバー２０２の表面よりも１段下がっており、凹部２０３ａ〜ｄよりも浅い。凹部２０３ａ、ｂ及び溝部２０３ｒ、又は、凹部２０３ｃ、ｄ及び溝部２０３ｓで１つの凹部２０３を構成する。
【００２７】
滑り止めキャップ２０５には弾性があり摩擦係数の大きい材質を用いるのが好ましく、例えばジエン系ゴム（例えば、スチレンブタジエンゴム、ポリイソプレンゴム及びクロロプレンゴム等）、オレフィン系ゴム（例えば、エチレンプロピレンゴム及びブチルゴム等）、アクリルゴム及びシリコーンゴム等が使用可能である。滑り止めキャップ２０５は凹部２０３に対応した形状をしており、２つのキャップ部２０５ａ及び滑り止め部２０５ｒを有する。滑り止め部２０５ｒは溝部２０３ｒ、ｓと略同様の長さを有し、当該滑り止め部２０５ｒの両端にキャップ部２０５ａが設けられる。即ち、凹部２０３ａと凹部２０３ｂ又は凹部２０３ｃと凹部２０３ｄの間隔は、一の滑り止めキャップ２０５に設けられるキャップ部２０５ａの間隔と略等しい。
【００２８】
滑り止めキャップ２０５が凹部２０３に挿入される際には、両端のキャップ部２０５ａが夫々凹部２０３ａ、ｂ又は凹部２０３ｃ、ｄに挿入され、滑り止め部２０５ｒが溝部２０３ｒ又は溝部２０３ｓ上に位置する。これにより、凹部２０３ａ〜ｄ及び螺子２０４を隠蔽することができ、外観上の美観を向上することができる。
【００２９】
従来であれば、凹部２０３ａ〜ｄに対して夫々螺子２０４を隠蔽する部材が必要であった。そのため、凹部２０３ａ〜ｄに対して合計で４つの隠蔽部材が必要であり、隠蔽部材を挿入する製造工程数も４工程となっていた。しかしながら、本実施形態における滑り止めキャップ２０５は凹部２０３ａ及び凹部２０３ｂ又は凹部２０３ｃ及び凹部２０３ｄを夫々２つずつ隠蔽するため、図１に示すように部材数は２つである。従って、滑り止めキャップ２０５を凹部２０３に挿入する製造工程数は２工程となり、部品点数及び製造工程数の削減を図ることができる。
【００３０】
上記の通り、滑り止めキャップ２０５は弾性を有する部材であることが好ましいが、同時に一定以上の剛性も求められる。滑り止めキャップ２０５の剛性が低すぎる場合、製造工程において滑り止めキャップ２０５を凹部２０３に挿入する際、複数設けられているキャップ部２０５ａを夫々別々に凹部２０３ａ〜ｄに挿入しなければならず、製造工程数の削減が図れないからである。滑り止めキャップ２０５が一定以上の剛性を有すれば、滑り止めキャップ２０５全体に一様に力を加えることができ、凹部２０３へ１工程で挿入することができる。
【００３１】
キャップ部２０５ａの厚さは溝部２０３ｒ、ｓの深さよりも厚く、キャップ部２０５ａの口径は少なくとも凹部２０３ａ〜ｄの口径以上である。従って、キャップ部２０５ａはその弾性により凹部２０３ａ〜ｄに圧入され、固定される。更に好適には、滑り止め部２０５ｒが溝部２０３ｒ又は溝部２０３ｓに粘着材などで接着される。これにより、滑り止めキャップ２０５を凹部２０３に固定する際に、凹部２０３ａ〜ｄのみでなく溝部２０３ｒ、ｓにおいても固定されるため、滑り止めキャップ２０５の凹部２０３からのずれ及び剥離を抑制することができる。
【００３２】
また、滑り止め部２０５ｒの厚さは溝部２０３ｒ、ｓの深さよりも厚い。従って、図２に示すように、滑り止め部２０５ｒはリアカバー２０２表面よりも突出する。当該携帯電話機の非使用時においては、リアカバー２０２側を下面にして置く。こうすることにより、当該携帯電話機は滑り止め部２０５ｒの突出部において載置面と当接し、当該突出部が滑り止めの役割を果たす。これにより、例えば当該携帯電話機をダッシュボード上に置いて自動車を運転する場合において、カーブや右左折時の慣性で当該携帯電話機がダッシュボード上を移動し落下してしまうことを抑制することができる。
【００３３】
更に、滑り止め部２０５ｒにおける溝部２０３ｒ、ｓと接する側は平面であると良い。これにより、滑り止め部２０５ｒは溝部２０３ｒ、ｓに対して好適に固定される。また、滑り止め部２０５ｒにおいてリアカバー２０２表面よりも突出する側はアールを有する曲面であると良い。これにより、滑り止め効果をより向上することができる。従って、滑り止め部２０５ｒは長寸部材であり、更には棒状乃至帯状であることが好ましい。
【００３４】
更に、当該携帯電話機が載置面上を移動した場合でも、滑り止め部２０５ｒによるリアカバー２０２と載置面とのクリアランスにより、リアカバー２０２表面は載置面とは接触しないため、リアカバー２０２表面における摩擦による傷の発生を抑制することができる。
【００３５】
尚、非使用時に携帯電話機を放置する場合、表示面が上向きになるように置くことが考えられる。本実施形態のように表示側筐体１００ではなく操作側筐体２００に滑り止めキャップ２０５を形成することにより、当該携帯電話機を放置する際には滑り止めキャップ２０５が下向きになる必然性が生まれる。但し、滑り止めキャップ２０５を表示面が設けられた面に形成しても良い。これにより、表示面を下向きにして放置した場合は、表示面と載置面との間に隙間ができ、表示面の破損を抑制することができる。
【００３６】
この様に、単一の部品に複数の役割を持たせることによって、部品点数及び製造工程数の低減を図りながらも新しい機能を持たせることができる。本実施形態においては、締結具隠蔽用キャップを複数個連結することにより部品点数を低減し、以って製造工程数の低減を図っている。更に、螺子キャップを連結する連結部を弾性及び摩擦係数の高い部材で形成し、筐体表面よりも突出させることによって滑り止め効果及び衝撃吸収効果を持たせている。
【００３７】
以上説明したように、本発明に係る締結具隠蔽用キャップにより、携帯用電子機器の滑り止め及び部品点数の削減を同時に可能とする携帯用電子機器を提供することができる。
【００３８】
尚、本実施形態においては、凹部２０３ａ及び凹部２０３ｂ又は凹部２０３ｃ及び凹部２０３ｄを夫々溝部２０３ｒ又は溝部２０３ｓで連結しているが、図３に示すように凹部２０３ａ及び凹部２０３ｃ又は凹部２０３ｂ及び凹部２０３ｄを夫々溝部２０３ｔ又は溝部２０３ｕで連結し、滑り止め部２０５ｓを当該溝部２０３ｔ、ｕに一致する形状としてもよい。この場合、リアカバー２０２表面の寸法は横方向よりも縦方向の方が長いので、滑り止め部２０５ｓは滑り止め部２０５ｒよりも長くなる。従って、滑り止め部の表面積が広くなり、滑り止め効果をより向上することができる。
【００３９】
更に、凹部２０３ａ〜ｄをすべて溝部で連結して四角形状に溝部を形成しても良い。これに対応した四角形状に形成した滑り止め部の角部にキャップ部２０５ａを形成し、凹部２０３ａ〜ｄ夫々にキャップ部２０５ａを挿入することによって、図１に示す滑り止め部２０５ｒと図３に示す滑り止め部２０５ｓとの両方を有する滑り止めキャップ２０５を形成することができ、更に滑り止め効果を向上することができる。
【００４０】
更に、図４に示すように、凹部ａ〜ｄをＸ字型の溝部２０３ｘで連結し、当該溝部２０３ｘと略同一形状の滑り止め部２０５ｘの４つの端部夫々にキャップ部２０５ａを設けても良い。滑り止め部２０５ｘの表面積は滑り止め部２０５ｒ又は２０５ｓの２つ分よりも更に広くなり、リアカバー２０２表面の全体に亘って滑り止め部２０５ｘが形成されるため、更に滑り止め効果を向上することができる。また、この場合、滑り止めキャップ２０５として用いる部材は１つでよいため、部品点数を更に削減し、製造工程数の低減を図ることができる。
【００４１】
更にまた、本実施形態においては凹部２０３ａ〜ｄは溝部２０３ｒ、ｓまたは溝部２０３ｔ、ｕ若しくは溝部２０３ｘによって連結されているが、これらの溝部を設けずに滑り止めキャップ２０５を固定しても、滑り止め部２０５ｒ又は２０５ｓ若しくは２０５ｘがリアカバー２０２表面上に配置されていれば同様の効果を得ることができる。但しこの場合は滑り止め部２０５ｒ、２０５ｓ若しくは２０５ｘは、粘着テープ等でリアカバー２０２に固定されるのが好ましい。
【００４２】
他方、本実施例においては、フロントケース２０１とリアカバー２０２との固定は凹部２０３ａ〜ｄの４点で行われているが、これに限定されるものではない。フロントケース２０１とリアカバー２０２とが確実に固定されれば、固定箇所は３点以下でも５点以上でも良い。この場合においても、固定箇所となる凹部に設けられる締結具隠蔽用キャップを複数連結することにより、上記に示した効果と同様の効果を奏することができる。
【００４３】
更に、凹部２０３ａ〜ｄ及び／又は溝部２０３ｒ、ｓを設けずにフロントケース２０１とリアカバー２０２とを螺子２０４で固定しても良い。この場合、螺子頭２０４ａがリアカバー２０２上に突出することとなるため、キャップ部２０５ａに凹部を設け、当該凹部に螺子頭２０４ａを挿入することによって本実施形態と同様の効果を奏することができる。
【００４４】
本実施形態においては、滑り止めキャップ２０５は複数のキャップ部２０５ａ及び滑り止め部２０５ｒを有する一の部材として形成されるが、これに限定されるものではない。キャップ部２０５ａと滑り止め部２０５ｒとは別の部材であり、滑り止め部２０５ｒによってキャップ部２０５ａが連結されていれば特に限定されない。また、滑り止め部２０５ｒはそれ全体が滑り止め機能を有する必要がなく、一部に滑り止め機能を有すれば良い。即ち、滑り止め部２０５ｒがリアカバー２０２表面上に配置された状態において、リアカバー２０２を下向きにして当該携帯電話機を放置した場合に、載置面に滑り止め機能が存在すれば良い。
【００４５】
更に、本実施形態においては、滑り止めキャップ２０５の材料は上記したような弾性を有する部材としたが、例えば金属やプラスチック等の弾性の比較的低い材料でも可能である。この場合、当該滑り止めキャップ２０５における凹部２０３に挿入される側の形状は、凹部２０３に対応する形状若しくは凹部２０３に嵌合する形状である。また、滑り止めキャップ２０５のリアカバー２０２表面から突出する側に凹凸を設けることにより、金属やプラスチック等の材料でも滑り止め効果を持たせることが可能である。この場合、弾性を有する部材で形成するよりも必然的に剛性の高い部材となるため、滑り止めキャップ２０５を凹部２０３に挿入する工程を１工程とすることが容易になる。
【００４６】
本実施形態においては螺子２０４及び螺子受け２０７を締結具の例として用いたが、これに限定されるものではない。螺子２０４及び螺子受け２０７のように螺合ではなく、例えば嵌合や係止によって固定する固定部材等でも同様の効果を奏することができる。
【００４７】
本実施形態においては、携帯用電子機器として携帯電話機を例に説明したが、ノート型パソコン、携帯用オーディオプレーヤ及びＰＤＡ等、あらゆる携帯用電子機器に適用可能である。
【図面の簡単な説明】
【００４８】
【図１】本発明の実施の形態に係る締結具隠蔽用キャップを含む携帯電話機の一部分解斜視図である。
【図２】本発明の実施の形態に係る締結具隠蔽用キャップを含む携帯電話機の断面図である。
【図３】本発明の実施の形態に係る締結具隠蔽用キャップを含む携帯電話機の一部分解斜視図である。
【図４】本発明の実施の形態に係る締結具隠蔽用キャップを含む携帯電話機の一部分解斜視図である。
【図５】従来技術に係る締結具隠蔽用キャップを含む携帯電話機の一部分解斜視図である。
【図６】従来技術に係る締結具隠蔽用キャップを含む携帯電話機の断面図である。
【符号の説明】
【００４９】
１  リアカバー、１ａ  凹部、２  フロントケース、３  キャップ、４  螺子、
１００  表示側筐体、２００  操作側筐体、２０１  フロントケース、
２０２  リアカバー、２０３ａ、２０３ｂ、２０３ｃ、２０３ｄ  凹部、２０３  凹部、
２０３ｒ、２０３ｓ、２０３ｔ、２０３ｕ、２０３ｘ  溝部、２０４  螺子、
２０５  キャップ、２０５ａ  キャップ部、
２０５ｒ、２０５ｓ、２０５ｘ  滑り止め部、２０６  貫通穴、２０７  螺子受け、
２０８  回路基板
【図１】
2006245861.tif 000003
【図２】
2006245861.tif 000004
【図３】
2006245861.tif 000005
【図４】
2006245861.tif 000006
【図５】
2006245861.tif 000007
【図６】
2006245861.tif 000008